(57)【要約】【課題】携帯端末の開閉状態の誤検出を防止すること。【解決手段】本発明の携帯端末は、第１筐体と、第２筐体と、前記第１筐体前記第２筐体とを回動可能に連結する連結部とを備えた携帯端末であって、前記連結部に形成された凸部内に磁石が設けられ、前記第２筐体において、前記第１筐体と重なり合う閉状態で前記連結部と対応する位置に、凹部が形成されるとともに、前記凹部の裏面には、前記磁石の磁気変化を検出することで、前記携帯端末の開き状態を検出する磁気検出素子が設けられ、前記第１筐体と前記第２筐体が重なり合う閉状態のとき、前記凸部と前記凹部とは係合し、前記磁石と前記磁気検出素子とは互いに筐体厚み方向において重なる位置となることを特徴とする。【選択図】図２
2011097240.tif 000002
【特許請求の範囲】
【請求項１】
第１筐体と、第２筐体と、前記第１筐体及び前記第２筐体を回動可能に連結する連結部とを備えた携帯端末において、
前記連結部に形成された凸部内に磁石が設けられ、
前記第２筐体において、
前記第１筐体と重なり合う閉状態で前記連結部と対応する位置に、凹部が形成されるとともに、
前記凹部の裏面には、前記磁石の磁気変化を検出することで、前記携帯端末の開き状態を検出する磁気検出素子が設けられ、
前記第１筐体と前記第２筐体とが重なり合う閉状態のとき、前記凸部と前記凹部とは係合し、前記磁石と前記磁気検出素子とは互いに筐体厚み方向において重なる位置となることを特徴とする携帯端末。
【請求項２】
請求項１に記載の携帯端末であって、
前記第１回動軸は、筐体の短手方向に沿う軸心であって、
前記第２回動軸は、筐体の長手方向に沿う軸心であって、
前記磁気検出素子が検出する前記携帯端末の開き状態は、
前記連結部を介して前記第１筐体と相対的に前記第２筐体が前記第２回動軸回りに回動する、前記携帯端末の横開き状態であることを特徴とする携帯端末。
【請求項３】
請求項１又は請求項２に記載の携帯端末であって、
前記磁石は、前記第１筐体の短手方向の中央付近に位置し、
前記磁気検出素子は、前記磁石と筐体厚み方向において対向する前記第２筐体の短手方向の中央付近に位置することを特徴とする携帯端末。
【請求項４】
請求項３に記載の携帯端末であって、
前記第１筐体は、筐体厚み方向において、前記携帯端末の操作部を有する一の面と前記一の面と対向する反対側の他の面とを有し、
前記携帯端末が閉じ状態である時、前記操作部の前記一の面に対して開口し、前記凸部に形成された開口部に、当該開口部を覆い、前記連結部の外部に対して前記磁石を覆い隠す外観シートが設けられていることを特徴とする携帯端末。
【発明の詳細な説明】
【技術分野】
【０００１】
本発明は、折り畳み式の携帯端末に関する。
【背景技術】
【０００２】
従来例として、特許文献１に開示されている携帯端末では、折り畳み状態から縦開きする際の携帯端末の開閉状態を検出する縦開き検出器と、折り畳み状態から横開きする際の携帯端末の横開き用の開閉検出器とが開示されている。
【先行技術文献】
【特許文献】
【０００３】
【特許文献１】特開２００５−２１６１５８号公報
【発明の概要】
【発明が解決しようとする課題】
【０００４】
しかし、従来例では、開閉検出器（特に横開き用）の位置に関して、どこが適切か詳細な検討がなされていない。そのため、たとえば、携帯端末の構成する上下筐体が相対的に開閉する際のガタつきにより、開閉検出器が誤検出してしまう可能性がある。
【０００５】
本発明の目的は、携帯端末の開閉状態の誤検出を防止することができる携帯端末を提供することである。
【課題を解決するための手段】
【０００６】
本発明は、第１筐体と、第２筐体と、前記第１筐体及び前記第２筐体を回動可能に連結する連結部とを備えた携帯端末であって、前記連結部に形成された凸部内に磁石が設けられ、前記第２筐体において、前記第１筐体と重なり合う閉状態で前記連結部と対応する位置に、凹部が形成されるとともに、前記凹部の裏面には、前記磁石の磁気変化を検出することで、前記携帯端末の開き状態を検出する磁気検出素子が設けられ、前記第１筐体と前記第２筐体が重なり合う閉状態のとき、前記凸部と前記凹部とは係合し、前記磁石と前記磁気検出素子とは互いに筐体厚み方向において重なる位置となる携帯端末を提供する。
上記構成によれば、携帯端末の開閉状態の誤検出を防止することができる。
【０００７】
上記携帯端末では、前記第１回動軸は、筐体の短手方向に沿う軸心であって、前記第２回動軸は、筐体の長手方向に沿う軸心であって、前記磁気検出素子が検出する前記携帯端末の開き状態は、前記連結部を介して前記第１筐体と相対的に前記第２筐体が前記第２回動軸回りに回動する、前記携帯端末の横開き状態である。
上記構成によれば、携帯端末の横開き状態の誤検出を防止することができる。
【０００８】
上記携帯端末では、前記磁石は、前記第１筐体の短手方向の中央付近に位置し、前記磁気検出素子は、前記磁石と筐体厚み方向において対向する前記第２筐体の短手方向の中央付近に位置する。
上記構成によれば、磁気検出素子が、携帯電話機１の横開き状態を検出する際に、筐体のガタつきがなく、携帯端末の開閉状態の誤検出を防ぐことができる。
【０００９】
上記携帯端末では、前記第１筐体は、筐体厚み方向において、前記携帯端末の操作部を有する一の面と前記一の面と対向する反対側の他の面とを有し、前記携帯端末が閉じ状態である時、前記操作部の前記一の面に対して開口し、前記凸部に形成された開口部に、当該開口部を覆い、前記連結部の外部に対して前記磁石を覆い隠す外観シートが設けられている。
上記構成によれば、携帯端末の外観品位を損なわずに、携帯端末の開閉状態の誤検出を防止することができる。
【発明の効果】
【００１０】
本発明に係る携帯端末によれば、携帯端末の開閉状態の誤検出を防止することができる。
【図面の簡単な説明】
【００１１】
【図１】（ａ）携帯電話機１の閉状態を示す図（ｂ）携帯電話機１の第１開状態を示す図（ｃ）携帯電話機１の第２開状態を示す図
【図２】携帯電話機１の第２開状態における部分拡大図
【図３】携帯電話機１の閉状態における上筐体２と下筐体３とのズレを説明するための図
【図４】図１に示すIV−IV線の断面を示す図
【図５】連結部４の分解斜視図
【図６】連結部４の開閉検出用磁石７０の保持状態を示す図
【図７】回動軸部材５０を裏側から見た図
【発明を実施するための形態】
【００１２】
以下、本発明の実施の形態について、図面を参照して説明する。なお、各図中に示すＸ軸、Ｙ軸、及びＺ軸は、互いに垂直な直交座標を示す軸であり、各図の同じ軸はすべて同じ方向を示す。
【００１３】
図１を参照して、本実施の形態の携帯電話機１の状態を説明する。図１（ａ）は、携帯電話機１の閉状態を示し、図１（ｂ）は携帯電話機１の第１開状態を示し、図１（ｃ）は、携帯電話機１の第２開状態を示す。
【００１４】
図１に示すように、本実施の形態の携帯電話機１は、大略構成として、略箱状の上筐体２と、略箱状の下筐体３と、上筐体２及び下筐体３を開閉可能に連結する連結部４と、を備える。連結部４の回動動作により、携帯電話機１は、軸心ａを中心に矢印Ａ方向及び矢印Ａ方向に直交し軸心ｂを中心に矢印Ｂ方向に開閉可能に連結されている。
【００１５】
携帯時には、図１（ａ）に示すように、携帯電話機１を構成する上筐体２と下筐体３とが互いに重なった重畳状態（閉じた状態または閉状態）で用いられる。例えば、通話時、文字や数字、電話番号を入力する場合、図１（ｂ）に示すように、携帯電話機１が閉状態から、下筐体３に対して上筐体２を軸心ａ（第１回動軸）を中心に矢印Ａ方向（または第１方向）に回動させた第１の開いた状態（第１開状態または縦開きの状態）で用いられる。例えば、ＴＶを横長画面で視聴する場合、図１（ｃ）に示すように、携帯電話機１が閉状態から、下筐体３に対して上筐体２を軸心ｂ（第２回動軸）を中心に矢印Ｂ方向（または第２方向といい、第１方向と直交する方向である）に回動させた第２の開いた状態（第２開状態または横開きの状態）で用いられる。
【００１６】
次に、図１を参照して、本実施の形態の携帯電話機１の構成について、説明する。
上筐体２は、レシーバ５と、第１表示部７などを収容している。上筐体２の主面２Ａ側には第１表示部７が設けられている。図示しないが、上筐体２内に設けられたプリント基板には、携帯電話の機能を実現する各種回路が実装されている。なお、本実施の形態では、上筐体２は樹脂製であるが、これに限らない。
【００１７】
下筐体３は、送話部（マイクロフォン）１３と、操作部１４などを収容している。なお、図示しないが、下筐体３内に設けられたプリント基板には、携帯電話の機能を実現する回路が実装されている。下筐体３の主面３Ａには、携帯電話機１が第１、第２開状態のときに露出する操作部１４が設けられる。なお、本実施の形態では、下筐体３は、上筐体２と同様、樹脂製であるが、これに限らない。
【００１８】
マイクロフォン１３は、下筐体３の主面３Ａにあって携帯電話機１が閉状態のときに上筐体２が対向して覆われ、携帯電話機１が第１開状態又は第２開状態のときに露出するように設けられている。通話時は、使用者の音声を通信相手に送話する。
【００１９】
操作部１４は、下筐体３の主面３Ａに配置されている。電話番号や文字を入力するために、数字や文字、記号が印刷されている。受話や終話、レシーバ５などから出力される音量の調節、マナーモードへの切替え、メニュー画面における選択と確定などができる複数の操作ボタンなどからなる。
【００２０】
連結部４は、第１連結部２８と第２連結部（第２ヒンジ）２９とが装着され、上筐体２と下筐体３とを回動可能に連結するものである。また、連結部４には、図示しないが、上筐体２のプリント基板と、下筐体３の第２プリント基板とを電気的に接続する、配線部材（ケーブル）が通される。
【００２１】
図２を参照して、開閉検出用磁石７０と磁気検出素子８０とについて説明する。図２は、携帯電話機１の第２開状態における部分拡大図である。図２に示すように、連結部４の一部は、操作部１４が設けられた下筐体３の主面３Ａから、筐体厚み方向に突出する凸部７２を形成する。そして、連結部４の凸部内には、開閉検出用磁石７０が設けられている。詳細は、後述するが、連結部４の凸部７２の一部は、傾斜部４２を形成する。開閉検出用磁石７０は、筐体短手方向（図中、Ｙ軸方向）において、中央付近に位置している。
【００２２】
一方、図２に示すように、第１表示部７が設けられた上筐体２の主面２Ａの連結部４寄り端部には、上筐体２の主面２Ａを基準として、突出する連結部４の一部（凸部７２）の突出形状に沿って凹み形状を有する凹部７１が形成されている。詳細は後述するが、携帯電話機１が閉じ状態（図１（ａ）参照）において、凸部７２は凹部７１に係合して、上筐体２と下筐体３のガタつきを小さく抑える。また、凹部７１の内側には、突起７３Ａ、突起７３Ｂ、突起７４が突出して形成されており、凸部７２と凹部７１が係合したときのガタつきをさらに小さく抑える。突起７３Ａ、突起７３Ｂ、突起７４は、筐体よりも低硬度の材料（軟らかい材料）で構成することにより、係合時に凸部７２の表面を傷つけたり、塗装の剥がれを防ぐ。
【００２３】
上筐体２の凹部７１の裏面には、磁気検出素子８０が設けられている。磁気検出素子８０は、携帯電話機１が閉状態（図１（ａ）参照）の時、開閉検出用磁石７０の上方に位置し、開閉検出用磁石７０と筐体厚み方向において重なる位置で、凹部７１に設けられている。磁気検出素子８０は、携帯電話機１が閉状態（図１（ａ）参照）の時、開閉検出用磁石７０に対向する位置、言い換えると、筐体短手方向（図中、Ｙ軸方向）において、中央付近に位置する。
【００２４】
磁気検出素子８０は、開閉検出用磁石７０の磁気変化を検出することで、ユーザーが下筐体３に対して上筐体２を矢印Ｂ方向に開く際の横開き角度θ１が所定範囲にある場合に、携帯電話機１の横開き状態を検出する。磁気検出素子８０は、上筐体２内に設けられたプリント基板に電気的に接続される。磁気検出素子８０が携帯電話機１の横開き状態を検出すると、プリント基板に信号を送信し、携帯電話機１は、たとえば、第１表示部７を動作させる。
【００２５】
上述のように、本実施形態によれば、開閉検出用磁石７０と磁気検出素子８０をそれぞれ筐体短手方向（図中、Ｙ軸方向）において、中央付近に配置する構成により、ユーザーが下筐体３に対して上筐体２を矢印Ｂ方向に開く際に、磁気検出素子８０は、携帯電話機１の横開き角度θ１が大きすぎず、かつ、小さすぎない（誤検出しない）、所定範囲の角度内で携帯電話機１の横開き状態を検出する。すなわち、ユーザーから表示部が見える角度より小さい角度で、携帯電話機１の横開き状態を検出し、横向きの画面表示を行う。なお、開閉検出用磁石７０と磁気検出素子８０とは、磁気検出素子８０の性能によっては、必ず中央付近に位置する必要は無く、ユーザーから表示部全体が見える角度より小さい角度で、横向き状態を検出できる位置であればよい。
【００２６】
本実施の形態では、図３に示すように、携帯電話機１が閉状態（図１（ａ）参照）のとき、開閉検出用磁石７０が内部に設けられた凸部７２は、磁気検出素子８０が裏面に設けられている上筐体２の凹部７１と係合する。そのため、例えば、図３の矢印で示す力Ｆが上筐体２に加えられても、筐体短手方向（図中、Ｙ軸方向）において、下筐体３に対する上筐体２（図中、破線）のずれを表す角度θ２は、ほぼゼロとなる。したがって、携帯電話機１が閉じ状態（図１（ａ）参照）のとき、凸部７２が凹部７１に係合することで、上筐体２及び下筐体３のガタつきを小さく抑えることができる。このとき、凹部７１の内側から突出して設けられる突起７３Ａ、突起７３Ｂにより、凸部７２の表面を傷つけることなく、さらにθ２のガタつきを小さく押さえることができる。なお、突起７３Ａ、突起７３Ｂ、突起７４は、図２に示すように、いずれも上筐体２の短手方向における中央よりも第２回動軸と反対側配置すると、係合時のθ２の方向のガタつきを効果的に抑えることができる。
【００２７】
図４は、図１に示すIV−IV線の断面図である。図４中の参照符号Ｆは、図３に示す力Ｆを示す。また、図４に示す参照符号Ｍは、磁気検出素子８０の中心位置と開閉検出用磁石７０の中心位置とを結ぶ直線を示す。図４の直線Ｍで示すように、携帯電話機１が閉状態（図１（ａ）参照）のとき、図４の矢印で示す力Ｆが上筐体２に加えられても、磁気検出素子８０の中心位置と開閉検出用磁石７０の中心位置とは、筐体厚み方向（図中、Ｚ軸方向）において、ほぼ一致している。そのため、携帯電話機１は、外部から力Ｆが携帯電話機１に加わっても上筐体２及び下筐体３のガタつきを小さく抑えることができるので、開閉検出用磁石７０と磁気検出素子８０の位置ずれが起こりにくくい。この構成によれば、上筐体２及び下筐体３のわずかなガタつきにより、磁気検出素子８０が開閉検出用磁石７０の磁力に反応しなくなり、携帯電話機１が閉じ状態にもかかわらず、磁気検出素子８０で「横開き状態」と誤検出して横画面表示してしまう、という事態も防止することができる。すなわち、誤検出を防ぎ、適切な角度で検出するよう構成することで、無駄な消費電力を削減することができる。
なお、力Ｆが加えられる方向は、図３に示す方向に限らず、任意の方向から加えられても、力Ｆが図３に示す方向から加えられた場合と同様、携帯電話機１は、磁気検出素子８０が携帯電話機１の横開き状態を検出する際に、誤検出しにくい。
【００２８】
次に、図２〜図６を参照して、連結部４の構成について説明する。図５に示す連結部４は、連結部本体４０と、連結部カバー４１とから構成される。
【００２９】
図５に示す連結部本体４０は、筐体厚み方向（図中、Ｚ軸方向）において、連結部カバー４１の傾斜面４１Ａと滑らかに連続する傾斜面４２Ａを有する傾斜部４２と、第２ヒンジ２９を収容するヒンジ収容部４３と、傾斜部４２の下側に位置する収容部４４とを備える。
【００３０】
図５に示す連結部カバー４１は、筐体短手方向（図５中、Ｙ軸方向）に沿って、傾斜部４２と滑らかに連続する傾斜面４１Ａと、傾斜面４１Ａと連続し、回動軸部材５０の径部５１の形状に沿って径部５１を上方から覆う曲面４１Ｂと、を備える。回動軸部材５０の構成ついては、後述する。
【００３１】
図２に示すように、傾斜部４２は、筐体短手方向（図中、Ｙ軸方向）に沿って、傾斜面４１Ａと滑らかに連続する傾斜面４２Ａを有する。そのため、連結部４の外観品位を損なわない。また、図２に示すように、傾斜部４２は、携帯電話機１が横開き状態の場合、操作部１４が設けられている下筐体３の主面３Ａから、筐体厚み方向（図中Ｚ軸方向）において突出する。つまり、傾斜部４２は、連結部４の凸部７２の一部を形成する。なお、本実施形態では、凸部７２を傾斜部４２で形成しているが、凸部７２に必ずしも傾斜部を形成する必要はなく、傾斜部に代えて階段状に形成してもよい。
【００３２】
図５に示す収容部４４は、筐体短手方向（図中、Ｙ軸方向）に沿って、傾斜部４２の下に位置する。収容部４４は、ひけを避けるために、元々連結部４の肉厚部分を抜いて形成されている。また、収容部４４の内部には、磁石保持部４５が設けられており、磁石保持部４５には、携帯電話機１の横開きを検出するための開閉検出用の磁石７０が収容される。収容部４４の側面のうち、下筐体３の主面３Ａ側の側面はほぼ全面が開口する開口部４４Ａを有する。
【００３３】
ここで、図５に示すように、横開きを検出するための開閉検出用磁石７０が収容される磁石保持部４５は、操作部１４が設けられている下筐体３の主面３Ａから突出する傾斜部４２の下に位置する。さらに、図２に示すように、磁石保持部４５に収容される開閉検出用磁石７０は、筐体短手方向（図中、Ｙ軸方向）において、中央付近に位置している。
【００３４】
図６に示すように、筐体長手方向（図中、Ｘ軸方向）から開口部４４Ａを見ると、磁石保持部４５に設けられた開閉検出用の磁石７０が見える。また、開口部４４Ａの一部は操作部１４が設けられている下筐体３の主面３Ａから、筐体厚み方向（図中Ｚ軸方向）において突出するので、図５に示すように、連結部４の開口部４４Ａは外観シート４７で覆れているため携帯電話機１は、外観品位を損なわない。
なお、収容部４４には、筐体短手方向（図中、Ｙ軸方向）にそって、開口部４４Ｂから第１ヒンジ２８が挿通される。
【００３５】
図５に示すように、ヒンジ収容部４３は、開口する上方から、第２ヒンジ２９の一部を構成する保持部６０を収容する。そして、ヒンジ収容部４３の側面のうち、下筐体３の主面３Ａ側の側面４３Ａには、ねじ穴部４９が設けられている。そして、ねじ穴部４９からねじ４６を挿通し、保持部６０のねじ穴部６１をねじ４６でねじ止めすることで、保持部６０がヒンジ収容部４３に固定される。
【００３６】
また、図６に示すように、ヒンジ収容部４３の側面のうち、下筐体３の主面３Ａ側の側面４３Ａの全面は、外観品位を損なわないように、外観シート４８で覆われる。
【００３７】
図５に示すように、連結部４に収容される第２ヒンジ２９は、回動軸部材５０と、保持部材６０と、からなる。また、第２ヒンジ２９は、高剛性が求められるので、金属製材料で形成される。
【００３８】
図５に示すように、回動軸部材５０は、径部５１と、径部５１と直交するように形成されたアーム部５３と、アーム部５３に形成されており、ねじによって上筐体２に固定される第１ねじ穴部５５を有する。
【００３９】
図５に示すように、第２ヒンジ２９を構成する回動軸部材５０のうち、アーム部５３は、基部５３Ａと、基部５３Ａから上筐体２の短手方向（図中、Ｙ軸方向）に延びる第１延出部５３Ｂと、基部５３Ａから上筐体２の長手方向（図中、Ｘ軸方向）に延びる第２延出部５３Ｃと、から構成される。また、図７に示すように、アーム部５３は、上筐体２の厚み方向（図中、Ｚ軸方向）から見ると、略Ｌ字状に形成されている。図７に示すように、基部５３Ａ及び第１延出部５３Ｂの一側面には、略Ｌ字状を形成するリブ５４が設けられている。リブ５４は、上筐体２の短手方向（図中、Ｙ軸方向）において、基部５３Ａの径部５１寄り端部から、第１延出部５３Ｂの先端まで延びている。第２延出部５３Ｃの先端には、ねじによって上筐体２に固定される第１ねじ穴部５５が設けられている。
【００４０】
図５に示す保持部材６０は、ねじ４６によって連結部４０に固定されるねじ穴部６１を有する。保持部材６０は、回動軸部材５０の径部５１を回動可能に保持、支承することで、回動軸部材５０が保持部材６０に回動可能に取り付けられる。
【００４１】
なお、図４に示すように、開閉検出用磁石７０が収容される収容部４４では、下筐体３の主面３Ａ側の側面から、樹脂製の連結部４の厚肉部を、肉盗み形状に形成し、下筐体３の主面３Ａ側の側面の開口部４４Ａを外観シート４７で覆われている。そのため、携帯電話機１が横開き又は縦開きする場合でも、その外観品位を損なうことがない。
【００４２】
なお、図４に示すように、開閉検出用磁石７０は、連結部４内に設けられている。そのため、上筐体２、及び下筐体３に開閉検出器が設けられた従来例に比して、筐体の大型化を防ぐことができる。
【００４３】
本発明を詳細にまた特定の実施態様を参照して説明したが、本発明の精神と範囲を逸脱することなく様々な変更や修正を加えることができることは当業者にとって明らかである。
【産業上の利用可能性】
【００４４】
本発明に係る携帯端末は、携帯端末の開閉状態の誤検出を防止するという効果を有し、携帯電話機等として有用である。
【符号の説明】
【００４５】
１  携帯電話機
２  上筐体
３  下筐体
３Ａ  主面
１４  操作部
４２  傾斜部
４４  収容部
４４Ａ  開口部
４５  磁石保持部
４７  外観シート
７０  開閉検出用磁石
７１  凹部
７２  凸部
８０  磁気検出素子
【図１】
2011097240.tif 000003
【図２】
2011097240.tif 000004
【図３】
2011097240.tif 000005
【図４】
2011097240.tif 000006
【図５】
2011097240.tif 000007
【図６】
2011097240.tif 000008
【図７】
2011097240.tif 000009
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
第１筐体と、第２筐体と、前記第１筐体及び前記第２筐体を回動可能に連結する連結部とを備えた携帯端末において、
前記連結部は、前記第１筐体に連結されて前記第１筐体に対して前記第２筐体を第１方向へ回動可能とする第１回動軸と、前記第２筐体に連結されて前記第１方向と直交する第２方向へ回動可能とする第２回動軸とを備え、
前記連結部には凸部が形成されるとともに、当該凸部内に磁石が設けられ、
前記第２筐体において、前記第１筐体と重なり合う閉状態で前記連結部と対応する位置に、凹部が形成されるとともに、前記凹部の裏面には、前記磁石の磁気変化を検出することで、前記携帯端末の開き状態を検出する磁気検出素子が設けられ、
前記第１筐体と前記第２筐体とが重なり合う閉状態のとき、前記凸部と前記凹部とは係合し、前記磁石と前記磁気検出素子とは互いに筐体厚み方向において重なることを特徴とする携帯端末。
【請求項２】
請求項１に記載の携帯端末であって、
前記磁気検出素子は、前記連結部を介して前記第１筐体と相対的に前記第２筐体が前記第２回動軸回りに回動して開いた状態を検出することを特徴とする携帯端末。
【請求項３】
請求項１又は請求項２に記載の携帯端末であって、
前記磁石は、前記第１筐体の短手方向の中央付近に位置し、
前記磁気検出素子は、前記磁石と筐体厚み方向において対向する前記第２筐体の短手方向の中央付近に位置することを特徴とする携帯端末。
【請求項４】
請求項１に記載の携帯端末であって、
前記第１筐体は、筐体厚み方向において、前記携帯端末の操作部を有する一の面と前記一の面と対向する反対側の他の面とを有し、
前記携帯端末が閉じ状態である時、前記操作部の前記一の面に対して開口し、前記凸部に形成された開口部に、当該開口部を覆い、前記連結部の外部に対して前記磁石を覆い隠す外観シートが設けられていることを特徴とする携帯端末。
【請求項５】
請求項１に記載の携帯端末であって、
前記凹部内側に向かい合う一対の突起を備えたことを特徴とする携帯端末。
【請求項６】
請求項５に記載の携帯端末であって、
前記一対の突起は、前記凹部の長手方向に備えたことを特徴とする携帯端末。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
第１筐体と、第２筐体と、前記第１筐体及び前記第２筐体を回動可能に連結する連結部とを備えた携帯端末において、
前記連結部は、前記第１筐体に連結されて前記第１筐体に対して前記第２筐体を第１方向へ回動可能とする第１回動軸と、前記第２筐体に連結されて前記第１方向と直交する第２方向へ回動可能とする第２回動軸とを備え、
前記連結部には凸部が形成されるとともに、当該凸部内に磁石が設けられ、
前記第２筐体において、前記第１筐体と重なり合う閉状態で前記連結部と対応する位置に、凹部が形成されるとともに、前記凹部の裏面には、前記磁石の磁気変化を検出することで、前記携帯端末の開き状態を検出する磁気検出素子が設けられ、
前記凹部の内側には、向かい合う一対の突起が設けられ、
前記第１筐体と前記第２筐体とが重なり合う閉状態のとき、前記凸部と前記凹部とは係合し、前記磁石と前記磁気検出素子とは互いに筐体厚み方向において重なることを特徴とする携帯端末。
【請求項２】
請求項１に記載の携帯端末であって、
前記一対の突起は、前記凹部の長手方向に備えたことを特徴とする携帯端末。